(57)【特許請求の範囲】
【請求項１】
第１のドクターブレードと、第２のドクターブレードと、これら第１および第２のドクターブレードを保持しているブレード保持部と、このブレード保持部を旋回可能に支持しているドクターバックと、このドクターバックの旋回を拘束している拘束部材とを有する多段式のドクター装置において、
前記第２のドクターブレードは、前記第１のドクターブレードに対してロールの回転方向の下流側に配置されており、
この第２のドクターブレードの刃先が前記ロールの表面に当たる位置は、前記ドクターバックの旋回中心と前記ロールの回転中心とを結ぶ線分上となるように設定されており、
前記拘束部材は、前記ドクターバックと固定側部材との間に取り付けた油圧あるいはエアーシリンダを含んでいることを特徴とする多段式のドクター装置。
【請求項２】
請求項１において、前記ブレード保持部は、ドクターブレードをロールの表面に押しつけるためのエアーチューブと、ドクターブレードをロールの表面から離すためのエアーチューブのいずれか一方を少なくとも備えた構成であることを特徴とする多段式のドクター装置。
【発明の詳細な説明】
【０００１】
【発明の属する技術分野】
本発明は、抄紙機ロール、圧延ロール等の表面に付着した異物を書き落とすために使用するドクター装置に関するものである。さらに詳しくは、本発明は、少なくとも第１および第２のドクターブレードによってドクターリングを行うように構成された多段式のドクター装置に関するものである。
【０００２】
【従来の技術】
抄紙機ロール等の表面に付着した紙粕等の異物を除去するために、ドクター装置が用いられている。例えば、実開平６−３９９９９号公報には、一対のエアーチューブを利用して、適切な圧接力でドクターブレードをロール表面に接触させることの可能なエアーチューブ式のドクター支持装置が開示されている。また、実公昭５７−５０３１８号公報にはエアーチューブを採用せずにドクターブレードを保持する保持部を備えたドクターブレードホルダ装置が開示されている。
【０００３】
このようなドクター装置としては、ドクターリング性能を改善するために、ロールの外周面に沿って多段にドクターブレードを配置した多段式のものが提案されている。
【０００４】
図３には、２段式のドクター装置の典型例を示してある。この図に示すように、ドクター装置１は、第１および第２のドクターブレード２、３を備えている。第１のドクターブレード２はロール４の回転方向の上流側のロール表面４ａに接しており、第２のドクターブレード３はロール表面４ａにおける下流側に接している。第１および第２のドクターブレード２、３は、それぞれ、上記の公開実用新案公報に開示されている構成と同様なエアーチューブ式のブレードホルダ５、６によって保持されている。ブレードホルダ５、６は、ドクターバック７によって支持されている。
【０００５】
ドクターバック７は、両端に取り付けたジャーナル軸８を介して固定側部材１０によって、ジャーナル軸中心８ａを中心として旋回可能に支持されている。ドクターバック７の旋回は、そこに連結した水平腕部９の先端を固定側部材１０に連結しているターンバックル１１によって拘束されている。
【０００６】
ここで、第１のドクターブレード２によっても掻き落とされなかった細かな異物をロール表面４ａから確実に第２のドクターブレード３によって掻き落とすことができるように、第１のドクターブレード２の裏面側には薬液散布ノズル１２が配置されている。第１のドクターブレード２はロール４の回転方向の上流側のロール表面４ａに接しており、第２のドクターブレード３はロール表面４ａにおける下流側に接している。
【０００７】
従来における多段式のドクター装置においては、その支持部であるドクターバックの旋回がターンバックルによって拘束されている。従って、例えば、ロール回転方向の下流側に位置している第２のドクターブレード３の清掃作業や、これらのドクターブレード２、３の間に発生した紙詰まりを除去する作業を行う場合には、図３（ｂ）に示すように、エアーチューブに空気を供給することによりドクターブレード２をロール表面４ａから離し、これによってできた隙間Ｇから清掃作業等を行っている。
【０００８】
【発明が解決しようとする課題】
しかしながら、エアーチューブ式のブレードホルダによりドクターブレードをロール表面から離す従来の方式では、ドクターブレードをロール表面から約３０ｃｍ程度離すのが精一杯である。この程度の隙間では、第２のドクターブレード３の表面の清掃作業や、ノズルの清掃作業を行うことは、極めて困難である。
【０００９】
すなわち、そのような作業は、第１のドクターブレードとロール表面の間の隙間から手を入れて行う必要があるので、このような状態での作業は、隙間が狭いので困難であると共に、作業部分を直接に目視することができないので効率が悪いという問題がある。
【００１０】
ここで、エアーチューブに頼らずに、ターンバックルを外してドクターバックを旋回させ、これにより、ドクターブレードをロール表面から十分に後退させることも考えられる。その場合には、図３（ｂ）に示すように、後段側の第２のドクターブレード３の刃先の軌跡Ｂがロール表面４ａと交差するおそれがある。すなわち、ドクターブレードの刃先がロール表面に干渉してしまい、ドクターブレードをロール表面から後退させることができない場合がある。
【００１１】
本発明の課題は、このような弊害を解消可能な多段式のドクター装置を提案することにある。
【００１２】
【課題を解決するための手段】
上記の課題を解決するために、本発明は、第１のドクターブレードと、第２のドクターブレードと、これら第１および第２のドクターブレードを保持しているブレード保持部と、このブレード保持部を旋回可能に支持しているドクターバックと、このドクターバックの旋回を拘束している拘束部材とを有する多段式のドクター装置において、次の構成を採用している。
【００１３】
すなわち、前記第２のドクターブレードが、前記第１のドクターブレードに対してロールの回転方向の下流側に配置されたものであるとした場合に、この第２のドクターブレードの刃先が前記ロールの表面に当たる位置を、前記ドクターバックの旋回中心と前記ロールの回転中心とを結ぶ線分上となるように設定してある。また、前記拘束部材として、前記ドクターバックと固定側部材との間に取り付けた油圧あるいはエアーシリンダからなる構成を採用している。
【００１４】
このように構成した本発明の多段式のドクター装置では、拘束部材としてストロークを任意にとることのできる油圧あるいはエアーシリンダを採用しているので、ドクターバックをその旋回中心の回りに十分に旋回させて、各ドクターブレードをロールの表面から十分に離れた位置に退避させることができる。また、本発明のように第２のドクターブレードのロール表面に対する接触位置を規定すれば、第２のドクターブレードの刃先がロール表面に干渉して、十分な旋回を確保できないという弊害も発生しない。
【００１５】
従って、本発明によれば、多段式のドクター装置において、第１および第２のドクターブレードの間の紙詰まり、これらの間に配置されている薬液散布ノズルの詰まり等を解消する作業を、大きな隙間を介して行うことができるので、従来に比べて、簡単かつ効率的に行うことが可能になる。
【００１６】
【発明の実施の形態】
以下に、図面を参照して本発明の実施例を説明する。
【００１７】
図１（ａ）は本発明を適用した２段式のドクター装置の概略構成図である。本例の２段式のドクター装置２１は、第１および第２のドクターブレード２２、２３を備えている。第１のドクターブレード２２はロール４の回転方向の上流側のロール表面４ａに接しており、第２のドクターブレード２３はロール表面４ａにおける下流側に接している。
【００１８】
第１および第２のドクターブレード２２、２３は、それぞれ、前記の公開実用新案公報に開示されている構成と同様なエアーチューブ式のブレードホルダ２５、２６によって保持されている。すなわち、図１（ｂ）に示すように、各ブレードホルダ２５（２６）は、ドクターブレード２２（２３）をロール表面４ａに押しつけるためのエアーチューブ４１と、ドクターブレード２２（２３）をロール表面４ａから離すためのエアーチューブ４２とを備えている。
【００１９】
この一対のエアーチューブ４１、４２に対する供給空気量、排気空気量を調節することにより、ドクターブレード２２（２３）を、旋回中心軸４３を中心に旋回させて、適切な圧接力によりロール表面に押しつけることができ、また、ドクターブレードの清掃等を行うためにドクターブレード２２（２３）をロール表面４ａから開放することができる。
【００２０】
なお、ブレードホルダ２５、２６として、一対のエアーチューブの代わりに、単一のエアーチューブを備えた構成のものを採用してもよい。また、前記の公告実用新案公報に開示された構造のブレードホルダを採用することもできる。
【００２１】
これらのブレードホルダ２５、２６は、ドクターバック２７によって支持されている。ドクターバック２７は、両端に取り付けたジャーナル軸２８を介して固定側部材１１によって、ジャーナル軸中心２８ａを中心として旋回可能に支持されている。ドクターバック２７のジャーナル軸２８には、その半径方向に延びる連結腕部２９の一端が取り付けられている。この連結腕部２９の他端は、油圧あるいはエアーシリンダ３０の作動ロッド３０ａの先端に連結されている。シリンダ３０は固定側部材１１に固定されており、ドクターバック２７の旋回を拘束する拘束部材として機能する。
【００２２】
本例のドクター装置２１においても、ドクターブレード２２、２３の間の位置に、薬液散布用の散布ノズル３２が配置されている。このノズル３２から第１のドクターブレード２２の刃先の裏面側のロール表面に向けて紙粕等の剥離を容易にするための薬液が散布される。
【００２３】
ここで、ドクターバック２７の旋回拘束部材として機能するシリンダ３０は、そのストロークが例えば５００ｍｍ程度のものである。従って、シリンダ３０の伸縮により、ドクターバック２７を中心２８ａの回りに広い角度範囲に渡って旋回させることができる。
【００２４】
また、本例のドクター装置２１においては、第２のドクターブレード２３の刃先２３ａがロール４の表面４ａに当たる位置Ｐを次のように設定してある。すなわち、ドクターバック２７のジャーナル軸中心２８ａと、ロール４の回転中心（図示せず）とを結ぶ線分Ｌの上となるように、この位置Ｐを設定してある。
【００２５】
この構成の２段式のドクター装置２１では、シリンダ３０によてドクターバック２７を中心２８ａの回りに旋回させ、適切な旋回位置でドクターバック２７を固定する。次に、各ブレードホルダ２５、２６のエアーチューブに対する空気供給量を制御して、各ドクターブレード２２、２３の刃先を適切な圧接力でロール４の表面４ａに押しつける。この状態でロール４が矢印方向に回転すると、各ドクターブレード２２、２３によって、ロール表面４ａに付着している異物が掻き落とされる。
【００２６】
ここで、ドクターブレード２２、２３の間に紙詰まりが発生した場合や、ノズル詰まりが発生した場合には、シリンダ３０の作動ロッド３０ａを最大引き込み位置まで移動させる。この結果、図２に示すように、ドクターバック２７はジャーナル軸中心２８ａの回りに旋回する。このドクターバック２７に支持されているブレードホルダ２５、２６によって保持されている各ドクターブレード２２、２３も、ロール表面４ａから離れる方向に旋回する。
【００２７】
ここで、ドクターブレード２３の刃先２３ａの軌跡Ａはロール表面４ａを規定する円弧に交差しない。すなわち、図３（ｂ）に示す場合のように、ドクターブレードの刃先がロール表面に当たって旋回できないという事態は発生しない。
【００２８】
この結果、上段側の第１のドクターブレード２２とロール表面４ａの隙間Ｇ１は作業を行うのに十分に広くなる。また、各ドクターブレード２２、２３の隙間を水平方向から直接に目視できるようになる。
【００２９】
よって、本例の２段式のドクター装置２１によれば、ドクターブレード２２、２３の間の紙詰まりや、ノズル詰まりを解消するたための保守点検作業を、従来に比べて、簡単かつ効率良く行うことができる。
【００３０】
なお、本発明は２段式のドクター装置に限らず、３段式のドクター装置に対しても適用することができる。この場合には、ロール回転方向の最も下流側に位置しているドクターブレードの刃先のロール表面に対する接触位置を、上記の第２のドクターブレード２３のように設定すればよい。
【００３１】
【発明の効果】
以上説明したように、本発明の多段式のドクター装置では、ストロークの長い油圧あるいはエアーシリンダを用いてドクターバックを旋回させるようにすると共に、そのような大きな角度範囲に渡る旋回を行ってもドクターブレードがロール表面に干渉しないようなドクターブレードとロール表面との間の配置関係を採用している。
【００３２】
従って、本発明によれば、  よって、本例の２段式のドクター装置２１によれば、ドクターブレード２２、２３の間の紙詰まりや、ノズル詰まりを解消するたための保守点検作業を、従来に比べて、簡単かつ効率良く行うことができる。
【図面の簡単な説明】
【図１】本発明を適用した２段式のドクター装置の概略構成図である。
【図２】図１のドクター装置の動作を説明するための説明図である。
【図３】従来の２段式のドクター装置を示す概略構成図および、その問題点を示す説明図である。
【符号の説明】
４  ロール
４ａ  ロール表面
２１  ドクター装置
２２  第１のドクターブレード
２３  第２のドクターブレード
２３ａ  刃先
２５、２６  ブレードホルダ
２７  ドクターバック
２８  ジャーナル軸
２８ａ  ジャーナル軸中心
２９  連結腕部
３０  油圧あるいはエアーシリンダ
３０ａ  作動ロッド
Ｌ  ロール中心とジャーナル軸中心を結ぶ線分
Ｐ  第２のドクターブレードの刃先のロール表面に対する接触位置
【図１】
0003907306.tif 000002
【図２】
0003907306.tif 000003
【図３】
0003907306.tif 000004